(57)【要約】      （修正有）【課題】軽量で比較的廉価なダンボール箱を利用して、機密情報の漏洩を確実に防ぐことのできるリサイクルボックスを提供する。【解決手段】機密文書を回収するためのＡ式ダンボール箱の、上面部２と底面部をテープで閉鎖して密閉状態とし、前側壁の上端部に、前記機密文書を投入するための投入口５を設けてなるリサイクルボックス１と、錠２５を備え、開き戸式に開閉する前板部を有する直方体状の金属製で、前記リサイクルボックス１を収納し、前記前板部に、前記リサイクルボックス１の投入口に連通する外口２２を設けた外箱２０とで構成する。【選択図】図７
0003150417.tif 000002
【実用新案登録請求の範囲】
【請求項１】
機密文書（Ｄ）を回収するためのＡ式ダンボール箱の，上面部（２）と底面部（３）をテープ（６）で閉鎖して密閉状態とし、前側壁（４）の上端部に，前記機密文書を投入するための投入口（５）を設けてなるリサイクルボックス（１）よりなる機密文書廃棄装置。
【請求項２】
機密文書（Ｄ）を回収するためのＡ式ダンボール箱の，上面部（２）と底面部（３）をテープ（６）で閉鎖して密閉状態とし、前側壁（４）の上端部に，上辺（５ａ）と左辺（５ｂ）と右辺（５ｃ）を切欠き，底辺（５ｄ）を折り線として内側に折り返して，前記機密文書を投入するための四角形でその下端に折返し片（５Ａ）を有する投入口（５）を設けてなるリサイクルボックス（１）よりなる機密文書廃棄装置。
【請求項３】
機密文書（Ｄ）を回収するためのＡ式ダンボール箱の，上面部（２）と底面部（３）をテープ（６）で閉鎖して密閉状態とし，前側壁（４）の上端部に，前記機密文書を投入するための投入口（５）を設けてなるリサイクルボックス（１）と、錠（２５）を備え，開き戸式に開閉する前板部（２１）を有する直方体状の金属製で，前記リサイクルボックスを収納し，前記前板部に，前記リサイクルボックスの投入口（５）に連通する外口（２２）を設けた外箱（２０）と、からなる機密文書廃棄装置。
【請求項４】
機密文書（Ｄ）を回収するためのＡ式ダンボール箱の，上面部（２）と底面部（３）をテープ（６）で閉鎖して密閉状態とし，前側壁（４）の上端部に，上辺（５ａ）と左辺（５ｂ）と右辺（５ｃ）を切欠き，底辺（５ｄ）を折り線として内側に折り返して，前記機密文書を投入するための四角形でその下端に折返し片（５Ａ）を有する投入口（５）を設けてなるリサイクルボックス（１）と、錠（２５）を備え，開き戸式に開閉する前板部（２１）を有する直方体状の金属製で，前記リサイクルボックスを収納し，前記前板部に，前記リサイクルボックスの投入口（５）に連通する外口（２２）を設けた外箱（２０）と、からなる機密文書廃棄装置。
【請求項５】
外箱（２０）に水平棚（２３）を設け、該水平棚の上下それぞれにリサイクルボックス（１，１）を収納してなる請求項３または４に記載の機密文書廃棄装置。
【考案の詳細な説明】
【技術分野】
【０００１】
本考案は、機密文書をリサイクルのために回収する目的で使用する機密文書廃棄装置に関するものである。
【背景技術】
【０００２】
従来、多くの機密文書がリサイクルのために回収されている。この機密文書の回収は、一般に、ダンボール箱を使用して行っており、当該ダンボール箱の上面を開放した状態で床面等に載置し、その中に機密文書を投入し、満杯になった時点でテープで閉じて、搬出している。
【０００３】
このダンボール箱は、軽量であり、また、比較的廉価であることから、機密文書を回収するためのリサイクルボックスとして、使用性に優れている。
【考案の開示】
【考案が解決しようとする課題】
【０００４】
しかし、こうした従来のダンボール箱では、その上面が開放されているので、例えば、満杯後にその上面をテープで閉じる際に、内部に投入されている機密文書が見えてしまい、機密情報が漏洩してしまう危険性がある。
【０００５】
また、ダンボール箱は軽量であるため、そのまま人手によって簡単に持ち出され、それによって機密情報が漏洩してしまう危険性もある。
【０００６】
本考案はこうした問題に鑑み創案されたもので、軽量で比較的廉価なダンボール箱を利用して、機密情報の漏洩を確実に防ぐことのできる機密文書廃棄装置を提供することを課題とする。
【課題を解決するための手段】
【０００７】
Ａ式ダンボール箱とは、図３に示す如く、四つの側壁４，８，７，８を糊代９を介して四角筒を作り、下部に折曲げ且つ一部分を重ねて底面部３を形成する底壁３ａ，３ａ，３ａ，３ａを各側壁４，８，７，８に有し、また上部に折曲げ且つ一部分を重ねて上面部２を形成する上壁２ａ，２ａ，２ａ，２ａを前記各側壁４，８，７，８に有し、而も一枚のダンボール紙から形成されているダンボール箱を言う。
【０００８】
図１乃至図７を参照して説明する。請求項１に記載の機密文書廃棄装置は、機密文書Ｄを回収するためのＡ式ダンボール箱の，上面部２と底面部３をテープ６で閉鎖して密閉状態とし、前側壁４の上端部に、前記機密文書Ｄを投入するための投入口５を設けてなるリサイクルボックス１よりなるものである。
【０００９】
請求項２に記載の機密文書廃棄装置は、機密文書Ｄを回収するためのＡ式ダンボール箱の，上面部２と底面部３をテープ６で閉鎖して密閉状態とし、前側壁４の上端部に、上辺５ａと左辺５ｂと右辺５ｃを切欠き、底辺５ｄを折り線として内側に折り返して、前記機密文書Ｄを投入するための四角形でその下端に折返し片５Ａを有する投入口５を設けてなるリサイクルボックス１よりなるものである。
【００１０】
請求項３に記載の機密文書廃棄装置は、機密文書Ｄを回収するためのＡ式ダンボール箱の，上面部２と底面部３をテープ６で閉鎖して密閉状態とし，前側壁４の上端部に，前記機密文書Ｄを投入するための投入口５を設けてなるリサイクルボックス１と、錠２５を備え，開き戸式に開閉する前板部２１を有する直方体状の金属製で，前記リサイクルボックス１を収納し，前記前板部２１に，前記リサイクルボックス１の投入口に連通する外口２２を設けた外箱２０と、からなるものである。
【００１１】
請求項４に記載の機密文書廃棄装置は、機密文書Ｄを回収するためのＡ式ダンボール箱の，上面部２と底面部３をテープ６で閉鎖して密閉状態とし，前側壁４の上端部に，上辺５ａと左辺５ｂと右辺５ｃを切欠き，底辺５ｄを折り線として内側に折り返して，前記機密文書Ｄを投入するための四角形でその下端に折返し片５Ａを有する投入口５を設けてなるリサイクルボックス１と、錠２５を備え，開き戸式に開閉する前板部２１を有する直方体状の金属製で、前記リサイクルボックス１を収納し，前記前板部２１に，前記リサイクルボックス１の投入口に連通する外口２２を設けた外箱２０と、からなるものである。
【００１２】
請求項５に記載の機密文書廃棄装置は、請求項３または４に記載の考案において、外箱２０に水平棚２３を設け、当該水平棚２３の上下それぞれにリサイクルボックス１，１を収納してなるものである。
【考案の効果】
【００１３】
請求項１に記載の機密文書廃棄装置におけるリサイクルボックス１は、Ａ式ダンボール箱を密閉状態とし、前側壁４の上端部に、機密文書Ｄを投入するための投入口５を設けたので、投入した機密文書Ｄが外から視覚されない。従って、機密情報が漏洩するといった事態を未然に防止することができる。
【００１４】
なお、リサイクルボックス１が満杯になった後は、投入口５をテープ６で覆い潰し、密閉状態のまま搬出するので、機密情報の漏洩を確実に防止することができる。
【００１５】
また、このリサイクルボックス１はＡ式のダンボール箱を使用して形成しているので、その複数の上壁２ａと底壁３ａを折り返すことによって、上面部２と底面部３を容易に閉鎖することができる。従って、容易に組み立てることができる。
【００１６】
なお、投入口５は前側壁４の上端部に形成しているので、例えば、中心部分に形成している場合と比較して、多くの機密文書Ｄを投入することができる。
【００１７】
請求項２に記載の機密文書廃棄装置におけるリサイクルボックス１は、請求項１に記載の考案と同様に、機密情報の漏洩を防止することができる。また、その組み立ても容易である。
【００１８】
また、投入口５を、前側壁４の上端部に、上辺５ａと左辺５ｂと右辺５ｃを切欠き、底辺５ｄを折り線として内側に折り返して、四角形でその下端に折返し片５Ａを有するものとしたので、当該折返し片５Ａによって、投入された機密文書Ｄが視覚されるのをさらに確実に防止することができる。これにより、機密情報の漏洩を、さらに未然に防止することができる。
【００１９】
なお、このリサイクルボックス１が満杯になった後は、折返し片５Ａを引張り戻して、その上からテープ６を貼ることによって、投入口５を確実に閉鎖することができる。これによって、機密情報の漏洩を、さらに確実に防止することができる。
【００２０】
請求項３または４に記載の機密文書廃棄装置は、請求項１および２に記載の考案と同様の効果を発揮する。また、リサイクルボックス１を、金属製の外箱２０に収納し、かつ、開き戸式に開閉する前板部２１には錠２５を設けているので、この錠２５で前板部２１を施錠することによって、リサイクルボックス１が持ち出されるのを防止することができる。これにより、機密文書Ｄの漏洩をまたさらに確実に防止することができる
【００２１】
また、この外箱２０は金属製であるため重く、従って、人手によって、リサイクルボックス１を、外箱２０ごと持ち出すことは極めて困難である
【００２２】
なお、外箱２０の前板部２１には、リサイクルボックス１の投入口に連通する外口２２を設けているので、機密文書Ｄは、この外口２２からリサイクルボックス１に正確に投入することができる。
【００２３】
請求項５に記載の機密文書廃棄装置は、請求項１乃至４に記載の考案と同様の効果を発揮する。また、外箱２０に水平棚２３を設け、この水平棚２３の上下それぞれにリサイクルボックス１，１を収納するので、複数のリサイクルボックス１を同時に同一箇所に設置することができる。従って、使用性に優れる。
【考案を実施するための最良の形態】
【００２４】
本考案に係る機密文書廃棄装置におけるリサイクルボックス１の実施形態を、図１乃至図５に示す。これは、機密文書Ｄをリサイクルのために回収するためのＡ式ダンボール箱製のリサイクルボックス１であり、上面部２と底面部３をテープ６で閉鎖して密閉状態とし、前側壁４の上端部に機密文書Ｄを投入するための投入口５を形成している。
【００２５】
この投入口５は長方形状であり、その上辺５ａと左辺５ｂと右辺５ｃを切欠き、底辺５ｄを折り線として内側に折り返して、その下端に折返し片５Ａを有する構成としている。なお、このリサイクルボックス１は、前側壁４に対向して後側壁７を有し、その両者間に側壁８を備え糊代９を介して四角筒状に形成される。
【００２６】
このリサイクルボックス１は、前側壁４に、機密文書Ｄを投入するための投入口５を設けているので、一旦投入した機密文書Ｄは外から視覚することができない。従って、機密情報の漏洩を未然に防止することができる。
【００２７】
また、この投入口５は、その下端に内側に折り返した折返し片５Ａを有するので、当該折返し片５Ａによって死角を形成する。これにより、投入された機密文書Ｄが投入口５を通して視覚されるのを確実に防ぐことができ、機密情報の漏洩をさらに確実に防止することができる。
【００２８】
なお、このリサイクルボックス１はＡ式のダンボール箱を使用して形成しているので、Ｂ式、Ｃ式あるいはＮ式と比較して、その取扱いが容易であり、上面部２と底面部３を容易に閉鎖することができる。従って、その組み立てが容易である。
【００２９】
このリサイクルボックス１は、機密文書Ｄで満杯になった後、折返し片５Ａを引張り戻して、その上からテープ６を貼って投入口５を閉鎖した後、搬出する。これにより、投入口５を完全に塞ぐことができるので、機密情報の漏洩を、確実に防止することができる。
【００３０】
なお、本実施形態における投入口５は長方形とし、その幅を２３０ｍｍ、高さを３０ｍｍに設定している。この寸法は、Ａ４版用紙を挿入し易い大きさであり、また、手指を挿入することはできるものの、内容物である機密文書Ｄを掴んで引き出すことが困難な大きさである。また、この寸法に設定すると、投入口５から内部の機密文書Ｄが見えてしまうこともない。
【００３１】
また、このリサイクルボックス１においては、その上面部２、底面部３および投入口５に貼ったテープ６を剥がすと、その痕跡が残るので、悪意で、当該リサイクルボックス１を開けて内部の機密文書Ｄを取り出すといった行為を未然に防止できる。
【００３２】
なお、本実施形態では投入口５を長方形としているが、本考案はこれに限定されるものではなく、例えば、正方形や楕円形状とすることも可能である。また、テープ６としてクラフトテープを使用すれば、機密文書Ｄを入れたリサイクルボックスごと溶解処理することができる。
【００３３】
本考案に係る機密文書廃棄装置における機密文書廃棄箱１０の実施形態を、図６および図７に示す。この廃棄箱１０は、リサイクルボックス１と、外箱２０とで構成される。リサイクルボックス１は、機密文書Ｄをリサイクルのために回収するためのＡ式ダンボール箱製であって、上記実施形態と同じ構成である。すなわち、上面部２と底面部３をテープ６で閉鎖して密閉状態とし、前側壁４の上端部に機密文書Ｄを投入するための投入口５を有する。また、この投入口５は長方形状であり、その上辺５ａと左辺５ｂと右辺５ｃを切欠き、底辺５ｄを折り線として内側に折り返して、その下端に折返し片５Ａを有する。さらに、このリサイクルボックス１は、前側壁４に対向して後側壁７を有し、その両者間に左右側壁８を備える。
【００３４】
外箱２０は、錠２５を備え、上部と下部に設けた二組のヒンジ２６によって、開き戸式に回動自在に開閉する前板部２１を、箱本体２７に取付けた直方体状の金属製（鉄製）で、その内部にリサイクルボックス１を収納する。本実施形態では、外箱２０の中間高さ部分に水平棚２３を設けており、この水平棚２３の上下それぞれにリサイクルボックス１を収納する構成としている。これにより、二つのリサイクルボックス１を同一箇所に同時に設置することができる。
【００３５】
また、前板部２１に、リサイクルボックス１の投入口に連通する外口２２を形成している。外口２２の形状は、投入口とほぼ同じ大きさの長方形とし、収納したリサイクルボックス１の数に対応して、上下に二つ設けている。なお、この外箱２０は、鉄製の他、ステンレス製などの他の金属で構成することができる。また、外箱２０は、水平棚２３を設けないで、リサイクルボックス１を一つだけ収納する構成とすることもできる。
【００３６】
本実施形態に係る機密文書廃棄装置は、上記実施形態に係るリサイクルボックス１と同様の効果を発揮する。また、当該リサイクルボックス１を、金属製（鉄製）で重量の嵩む外箱２０に収納し、かつ、この外箱２０の前板部２１には錠２５を設けているので、前板部２１を施錠することによって、軽量なリサイクルボックス１が持ち出されるのを確実に防止することができる。従って、機密文書Ｄの漏洩をさらに確実に防止することができる。
【００３７】
なお、外箱２０の前板部２１には外口２２を設けているので、機密文書Ｄは、この外口２２から、投入口を介してリサイクルボックス１に正確に投入することができる。
【００３８】
さらに、この機密文書廃棄箱１０は、外箱２０の底板部２４の両側端部下面に前後方向に、コ型鋼３０を、その開放部３１を内側に向けて、ネジや溶接などで固定している。
【図面の簡単な説明】
【００３９】
【図１】本考案に係る機密文書廃棄装置におけるリサイクルボックスの実施形態を示す斜視図である。
【図２】図１に示すリサイクルボックスの要部拡大図である。
【図３】図１に示すリサイクルボックスの展開図である。
【図４】図１に示すリサイクルボックスの正面図である。
【図５】図４のＸ−Ｘ線断面図である。
【図６】本考案に係る機密文書廃棄装置における機密文書廃棄箱の実施形態を示す斜視図である。
【図７】図７に示す機密文書廃棄箱の分解斜視図である。
【符号の説明】
【００４０】
１      リサイクルボックス
２      上面部
２ａ    上壁
３      底面部
３ａ    底壁
４      前側壁
５      投入口
５Ａ    折返し片
５ａ    上辺    
５ｂ    左辺
５ｃ    右辺
５ｄ    底辺
６      テープ
７      後側壁
８      左右側壁
９      糊代
１０    機密文書廃棄箱
２０    外箱
２１    前板部
２１ａ  延長部
２２    外口
２３    水平棚
２４    底板部
２５    錠
２６    ヒンジ
２７    箱本体
３０    コ型鋼
３１    開放部
３２    下部片
３３    側部片
D      機密文書
【図１】
0003150417.tif 000003
【図２】
0003150417.tif 000004
【図３】
0003150417.tif 000005
【図４】
0003150417.tif 000006
【図５】
0003150417.tif 000007
【図６】
0003150417.tif 000008
【図７】
0003150417.tif 000009